(57)【要約】      （修正有）【課題】幼児のおやつ等を収容する小物品用容器であり、蓋の着脱作業を必要とせずに開閉可能とした小物品用容器を提供する。【解決手段】上部に広口の開口部を備えた容器本体１と、容器本体の上部開口縁に着脱自在に装着された弾性蓋２とから成る。弾性蓋２は、開口部を閉蓋する弾性板１６の中央部から放射方向に延びるスリット１７を介して複数の弾性セグメント１６ａを形成し、弾性セグメント１６ａは、ユーザの手を容器本体１の内部に向けて押し込んだとき、弾性変形により開口部を開口し、ユーザの手を容器本体１の外部に引き抜いたとき、弾性復元により開口部を閉鎖するように構成されている。【選択図】図１
0003178058.tif 000002
【実用新案登録請求の範囲】
【請求項１】
多数の小物品を収容する小物品用容器であり、
上部に広口の開口部を備えた容器本体(1)と、該容器本体の上部開口縁に着脱自在に装着された弾性蓋(2)とから成り、
前記弾性蓋(2)は、前記開口部を閉蓋する弾性板(16)の中央部から放射方向に延びるスリット(17)を介して複数の弾性セグメント(16a)を形成し、
前記弾性セグメント(16a)は、ユーザの手を容器本体(1)の内部に向けて押し込んだとき、弾性変形により前記開口部を開口し、ユーザの手を容器本体(1)の外部に引き抜いたとき、弾性復元により前記開口部を閉鎖するように構成されて成ることを特徴とする小物品用容器。
【請求項２】
前記容器本体(1)は、少なくとも周壁(6)に弾性素材により形成された折畳み壁(13a)を備え、
前記折畳み壁(13a)は、展開形態とした状態で、底壁(5)の周縁から起立する第１周壁(6a)と、該第１周壁から環状ヒンジ部(14)を介して上方に延長された第２周壁(6b)により、容器本体(1)の周壁(6)を形成し、
前記底壁(5)を周壁(6)の内側に押し上げたとき、前記環状ヒンジ部(14)の山折りを介して、底壁(5)及び第１周壁(6a)を第２周壁(6b)の内側に移動した折畳み形態を保持し、前記折畳み形態とされた底壁(5)を容器本体(1)の開口部から押し下げたとき、前記環状ヒンジ部(14)を展開することにより、前記展開形態を保持するように構成されて成ることを特徴とする請求項１に記載の小物品用容器。
【請求項３】
前記容器本体(1)は、開口縁を形成する環状フレーム(4)と該環状フレームに設けられた把手部(10)を硬質の合成樹脂で一体成形し、前記環状フレームに対するインサート成形により、前記折畳み壁(13a)をエラストマーで一体成形すると共に環状フレーム(4)に結合して成ることを特徴とする請求項２に記載の小物品用容器。
【考案の詳細な説明】
【技術分野】
【０００１】
本考案は、蓋の着脱作業を必要とせずに開閉可能とした小物品用容器に関する。
【背景技術】
【０００２】
従来、例えば、容器に入れたおやつ等の小物品を幼児等に与える場合、開蓋した容器を幼児に持たせると、容器を振り回して小物品を床上に散乱させてしまう問題がある。従って、散乱を回避するためには、必要に応じて親等の保護者が小物品を容器から取り出すことにより幼児に与えることになるが、その都度、蓋の着脱等により容器を開閉することは煩雑である。そして、幼児等は、容器を手に持ちたがるので、閉蓋状態とした容器を持たせると、自らは開蓋が困難なため、泣き叫ぶ等の問題がある。
【先行技術文献】
【特許文献】
【０００３】
【特許文献１】特開２００８−４４６３１号公報
【特許文献２】特開平１０−２４８６３７号公報
【考案の概要】
【考案が解決しようとする課題】
【０００４】
本考案の第１の課題は、蓋の着脱作業を必要とせずに開閉可能とした小物品用容器を提供する点にある。容器は、おやつ等の小物品を収容可能であり、容器を幼児等に持たせたときに、常時は閉蓋されているため、幼児が振り回しても小物品が跳び出さず、床上に散乱することはない。その反面、幼児がおやつを欲するときは、幼児が自ら手を押し込むだけで容易におやつを摘み上げることが可能であり、摘み上げた後は、直ちに再び自動的に閉蓋される。
【０００５】
本考案の第２の課題は、幼児等が手に持って振り回す場合、容器が近隣の者を殴打するときでも安全であり、しかも、不使用時にはコンパクトに折畳みとされ、携帯等に便利とした小物品用容器を提供する点にある。
【課題を解決するための手段】
【０００６】
そこで、上記第１の課題を解決するために本考案が手段として構成したところは、多数の小物品を収容する小物品用容器であり、上部に広口の開口部を備えた容器本体と、該容器本体の上部開口縁に着脱自在に装着された弾性蓋とから成り、前記弾性蓋は、前記開口部を閉蓋する弾性板の中央部から放射方向に延びるスリットを介して複数の弾性セグメントを形成し、前記弾性セグメントは、ユーザの手を容器本体の内部に向けて押し込んだとき、弾性変形により前記開口部を開口し、ユーザの手を容器本体の外部に引き抜いたとき、弾性復元により前記開口部を閉鎖するように構成されて成る点にある。
【０００７】
また、上記第２の課題を解決するために本考案が手段として構成したところは、多数の小物品を収容する小物品用容器であり、前記容器本体は、少なくとも周壁に弾性素材により形成された折畳み壁を備え、前記折畳み壁は、展開形態とした状態で、底壁の周縁から起立する第１周壁と、該第１周壁から環状ヒンジ部を介して上方に延長された第２周壁により、容器本体の周壁を形成し、前記底壁を周壁の内側に押し上げたとき、前記環状ヒンジ部の山折りを介して、底壁及び第１周壁を第２周壁の内側に移動した折畳み形態を保持し、前記折畳み形態とされた底壁を容器本体の開口部から押し下げたとき、前記環状ヒンジ部を展開することにより、前記展開形態を保持するように構成されて成る点にある。
【０００８】
好ましい実施形態において、前記容器本体は、開口縁を形成する環状フレームと該環状フレームに設けられた把手部を硬質の合成樹脂で一体成形し、前記環状フレームに対するインサート成形により、前記折畳み壁をエラストマーで一体成形すると共に環状フレームに結合している。
【考案の効果】
【０００９】
請求項１に記載の本考案によれば、容器本体１は、おやつ等の小物品Ｍを収容した使用状態で、常時は、弾性蓋２の弾性セグメント１６ａが相互に先端を突き合わせることにより容器本体１の開口部を閉鎖しているので、幼児等が把手部１０を持って振り回すときでも、小物品Ｍが跳び出すことはない。
【００１０】
また、幼児等が振り回すとき、容器が近隣の者を殴打する場合でも、少なくとも、弾性蓋２及び周壁６がエラストマー等の弾性素材により形成されているので、負傷の危険が小さい。
【００１１】
そして、幼児等がおやつ等の小物品Ｍを欲するときは、弾性蓋２を押しながら手を容器本体１の内部に向けて押し込めば、弾性セグメント１６ａが内側に向けて湾曲しつつ弾性変形することにより、容器本体１の開口部を開口するので、幼児等が自力で小物品Ｍを容易に掴むことが可能である。そして、小物品Ｍを掴んだ手は、弾性セグメント１６ａの自在な変形により、容易に引き抜くことが可能であり、しかも、引き抜きと同時に、弾性セグメント１６ａの弾性復元により容器本体１の開口部を再び閉鎖することが可能である。
【００１２】
請求項２に記載の本考案によれば、容器本体１は、底壁５を周壁６の内側に向けて押し上げるだけで、環状ヒンジ部１４を山折り状に折曲しながら、底壁５及び第１周壁１３ａを第２周壁１３ｂの内側に移動させ、周壁６を折畳むと共に、折畳み形態を保持するので、旅先等においてコンパクトな状態で携帯することが可能になる。そして、折畳み形態の状態から、底壁５を押し下げれば、環状ヒンジ部１４を展開することにより、第１周壁６ａと第２周壁６ｂを上下方向に伸長させた展開形態を保持するので、ワンタッチで使用することが可能である。
【００１３】
請求項３に記載の本考案によれば、容器本体１の開口縁に硬質の合成樹脂で一体成形した環状フレーム４を設けているので、前記折畳み時や展開時に、容器本体１の全体が弾性変形することにより作業を困難にすることはなく、剛性の環状フレーム４を把持した状態で底壁５を押し上げ又は押下げることが可能であるから、折畳み作業又は展開作業を簡単容易に行うことができる。
【図面の簡単な説明】
【００１４】
【図１】本考案の１実施形態に係る小物品用容器を示す斜視図である。
【図２】本考案の１実施形態に関して容器本体の弾性蓋に保護蓋を被冠させた状態を示す縦断面図である。
【図３】図２のＡ−Ａ線断面を示しており、（Ａ）は折畳み壁を展開形態とした状態を示す縦断面図であり、（Ｂ）は折畳み壁を折畳み形態とした状態を示す縦断面図である。
【図４】容器本体におやつ等の小物品を収容したときの使用状態を示す縦断面図である。
【考案を実施するための形態】
【００１５】
以下図面に基づいて本考案の好ましい実施形態を詳述する。
【００１６】
図１ないし図３に示すように、おやつ等の小物品を収容する容器は、上部に広口とされた円形の開口部を備えた容器本体１と、該容器本体１の上部開口縁に着脱自在に装着された弾性蓋２と、該弾性蓋２に着脱自在に被冠される保護蓋３を備えている。
【００１７】
＜容器本体の構成＞
前記容器本体１は、図２及び図３に示すように、硬質の合成樹脂により成形されることにより開口縁を形成する環状フレーム４と、シリコンゴムその他のエラストマー等の弾性素材により成形された底壁５及び周壁６を備えている。
【００１８】
前記環状フレーム４は、スリーブ部７の下端から外向きのフランジ８を設けると共に、該フランジ８の下面に埋入片９を垂設しており、ポリプロピレン等の硬質の合成樹脂により成形されている。この際、図示のように、環状フレーム４の直径方向に位置して前記フランジ８から外側に突出する把手部１０を一体成形することが好ましい。
【００１９】
前記底壁５及び周壁６は、シリコンゴムその他のエラストマー等の弾性素材により全体としてボウル状に成形され、底壁５の底部円周上に位置して小突起から成る脚座１１を設けている。
【００２０】
ボウル状に形成された弾性の底壁５及び周壁６は、剛性の環状フレーム４に対して、嵌着結合や接着結合により結合しても良いが、図示実施形態の場合、環状フレーム４を金型に装入した状態で底壁５及び周壁６を成形するインサート成形が採用され、周壁６の上端に形成される廻り縁１２を前記フランジ８の下面に接合させると共に、該廻り縁１２に前記埋入片９を埋入させることにより、強固な一体結合を可能にしている。
【００２１】
ボウル状に形成された容器本体１は、少なくとも、周壁６を弾性素材で形成することにより折畳み壁１３ａを構成しており、図示実施形態の場合、周壁６及び底壁５の全体を弾性素材で形成し、周壁６及び底壁５のそれぞれにより折畳み壁１３ａ、１３ｂを構成している。
【００２２】
前記周壁６に形成された折畳み壁１３ａは、底壁５の周縁から起立する第１周壁６ａと、該第１周壁６ａから環状ヒンジ部１４を介して上方に延長された第２周壁６ｂにより構成され、環状ヒンジ部１４を展開した状態で、第１周壁６ａと第２周壁６ｂを上下方向に伸長させた展開形態を保持する。
【００２３】
前記底壁５に形成された折畳み壁１３ｂは、前記脚座１１の内側に位置する底壁５の底部円周に沿って形成された溝１５を備えている。
【００２４】
そこで、容器本体１は、図３（Ｂ）に示すように、底壁５の中央部を周壁６の内側に向けて押し上げると、図示鎖線で示すように前記溝１５を介して底壁５の中央部が上向きに湾曲され、この状態から前記環状ヒンジ部１４を山折り状に折曲しながら、底壁５及び第１周壁１３ａを第２周壁１３ｂの内側に移動させ、折畳まれる。折畳みが完了すると、湾曲されていた底壁５の中央部が弾性復元により伸長し、折畳み形態を保持する。
【００２５】
この折畳み形態とされた状態から、底壁５を容器本体１の開口部から押し下げると、前記環状ヒンジ部１４を展開することにより、第１周壁６ａと第２周壁６ｂを上下方向に伸長させ、展開形態を保持する。
【００２６】
＜弾性蓋の構成＞
前記弾性蓋２は、シリコンゴムその他のエラストマー等の弾性素材により成形され、容器本体の１の上部開口縁を形成するスリーブ部７の外周面に着脱自在に弾着される環状部２ａと、該環状部２ａの内側で容器本体１の開口部を閉蓋する弾性板１６を備えており、図１に示すように、弾性板１６の中央部から放射方向に延びるスリット１７を形成することにより、複数の弾性セグメント１６ａを設けている。図示実施形態の場合、各弾性セグメント１６ａの輪郭に沿ってリブ１９（図２及び図３参照）を設け、これにより薄板状の弾性セグメント１６ａに必要十分な弾性力を形成している。
【００２７】
そこで、容器本体１は、底壁５及び周壁６の展開形態を保持し、おやつ等の小物品Ｍを収容した状態で、常時は、弾性蓋２の弾性セグメント１６ａが相互に先端を突き合わせており、これにより容器本体１の開口部を閉鎖している。従って、幼児等が把手部１０を持って振り回すときでも、小物品Ｍが跳び出すことはない。
【００２８】
また、幼児等が振り回すとき、容器が近隣の者を殴打する場合でも、環状フレーム４を除いて、弾性蓋２並びに底壁５及び周壁６は、エラストマー等の弾性素材により形成されているので、負傷の危険が小さい。
【００２９】
ところで、幼児等がおやつ等の小物品Ｍを欲するときは、図４に示すように、弾性蓋２を押しながら手を容器本体１の内部に向けて押し込めば、弾性セグメント１６ａが内側に向けて湾曲しつつ弾性変形することにより、容器本体１の開口部を開口するので、幼児等が自力で小物品Ｍを容易に掴むことが可能である。
【００３０】
そして、小物品Ｍを掴んだ手を引き抜く際にも、弾性セグメント１６ａの自在な変形により、手の引き抜きを容易とし、しかも、引き抜きと同時に、弾性セグメント１６ａが弾性復元することにより容器本体１の開口部を閉鎖する。
【００３１】
＜保護蓋の構成＞
前記保護蓋３は、ポリプロピレン等、任意の合成樹脂により成形されており、弾性蓋２に着脱自在に被冠され、周縁一部に摘み片１８を設けている。
【００３２】
小物品用容器は、旅先等で携帯する場合、上述のように周壁６及び底壁５の折畳み壁１３ａ及び１３ｂを折畳むことにより、コンパクトな折畳み形態とした状態で携帯が可能であり、その際、弾性蓋２に保護蓋３を被冠させることにより、弾性セグメント１６ａを保護した状態で携帯することができる。
【００３３】
また、周壁６及び底壁５を展開した展開形態として、容器本体１におやつ等の小物品Ｍを収容した使用時においても、おやつ等の食を必要としないときは、保護蓋３を被冠することにより、塵芥等の侵入を防止できる。
【符号の説明】
【００３４】
１  容器本体
２  弾性蓋
３  保護蓋
４  環状フレーム
５  底壁
６  周壁
６ａ  第１周壁
６ｂ  第２周壁
１０  把手部
１３ａ、１３ｂ  折畳み壁
１４  環状ヒンジ部
１５  溝
１６  弾性板
１６ａ  弾性セグメント
１７  スリット
【図１】
0003178058.tif 000003
【図２】
0003178058.tif 000004
【図３】
0003178058.tif 000005
【図４】
0003178058.tif 000006